(57)【要約】      （修正有）【課題】多種多様化した顧客からの商品イメージの注文に対して迅速且つ充分に対応でき、かつ、商品イメージを創作して展示する登録者を幅広く確実に確保することができる登録イメージ展示・提示システムを提供する。【解決手段】インターネット等のコンピュータネットワークを介して、写真、絵画、モデル等の人物の肖像、デザイン、又は、これらの加工商品等の商品イメージを登録イメージとして展示する登録イメージ展示手段１と、顧客に登録イメージの選択を促し、選択された登録イメージをそのまま、又は加工して顧客に提示する登録イメージ提示手段２等からなるサーバー１０と、顧客や登録デザイナーや一般デザイナーの使う一般端末１１で構成され、顧客から商品イメージを受注し、これに対する商品イメージを一般端末から公募し、応募された商品イメージを注文顧客に展示し、顧客が選択した商品イメージの応募者を登録者として新規に登録する。【選択図】図１
2005202555.tif 000002
【特許請求の範囲】
【請求項１】
インターネット等により相互通信可能に接続したコンピュータネットワークを介して、写真、絵画、モデル等の人物の肖像、デザイン、又は、これらの加工商品等の商品イメージを登録イメージとして展示する登録イメージ展示手段と、顧客に登録イメージの選択を促し、選択された登録イメージをそのまま、又は加工して顧客に提示する登録イメージ提示手段とからなる登録イメージ展示・提示システムにおいて、
顧客から商品イメージを受注する商品イメージ受注手段と、受注した商品イメージを一般端末から公募する商品イメージ公募手段と、応募された商品イメージを注文した顧客に展示する応募イメージ展示手段と、顧客が選択した商品イメージの応募者を登録者として登録する応募者登録手段と、登録者の創作した他の商品イメージを登録イメージとして前記登録イメージ展示手段により展示する手段とを具備する登録イメージ展示・提示システム。
【請求項２】
請求項１に記載の登録イメージ展示・提示システムにおいて、前記商品イメージ受注手段が、顧客に一般端末から注文する商品イメージを電子掲示板に掲載させるようにした登録イメージ展示・提示システム。
【請求項３】
請求項１又は２に記載の登録イメージ展示・提示システムにおいて、前記商品イメージ公募手段が、一般端末から閲覧可能な電子掲示板によって商品イメージを公募するようにした登録イメージ展示・提示システム。
【請求項４】
請求項１乃至３のいずれかに記載の登録イメージ展示・提示システムにおいて、顧客の商品イメージの選択頻度に応じて登録者のランク付を行うランク付手段を付加した登録イメージ展示・提示システム。
【発明の詳細な説明】
【技術分野】
【０００１】
本発明は、顧客からの注文に応じて写真、絵画、モデル等の人物の肖像、デザイン、又は、これらの加工商品等の商品イメージを公募する登録イメージ展示・提示システムに関する。
【背景技術】
【０００２】
従来、インターネットを利用したオーダーメードによるキャラクター商品の開発及び販売を行う商品受注システムであって、顧客に登録された商品及びキャラクターの中から商品とキャラクターの組合せを選択させ、選択した商品及びキャラクターの画像を合成した合成画像を顧客に提示する商品受注システムが知られている（例えば、特許文献１参照）。
また、登録されたデザイン画像をネットワーク上へ公開し、このデザイン画像の施行作品を受注・施行・納品するシステムにおいて、登録されたデザイン画像の中に希望する作品がない場合に、システムに登録されたデザイナーに顧客がデザインの製作を依頼することができるデザイン画像の販売管理システムが知られている（例えば、特許文献２参照）。
【特許文献１】特開２００３−１３２２５２号公報
【特許文献２】特開２００２−１８３４６９号公報
【発明の開示】
【発明が解決しようとする課題】
【０００３】
しかし、特許文献１に記載の商品受注システムでは、登録された商品及びキャラクターの中から選択して組合せることにより、オリジナル商品を作成することはできるが、システムに登録された商品とキャラクターの組合せには限りがあり、多種多様化した顧客のニーズに充分に応えることは困難である。
また、特許文献２に記載のデザイン画像の販売管理システムでは、登録されたデザイン画像の中に希望する作品がない場合には、顧客の依頼に応じてシステムに登録されたデザイナーがデザインを製作するようにしているが、限られた登録デザイナーでは顧客の依頼に対して迅速且つ充分に対応することが困難であるという課題があった。
【課題を解決するための手段】
【０００４】
そこで、本発明は、上記課題を解決するために、インターネット等により相互通信可能に接続したコンピュータネットワークを介して、写真、絵画、モデル等の人物の肖像、デザイン、又は、これらの加工商品等の商品イメージを登録イメージとして展示する登録イメージ展示手段と、顧客に登録イメージの選択を促し、選択された登録イメージをそのまま、又は加工して顧客に提示する登録イメージ提示手段とからなる登録イメージ展示・提示システムにおいて、顧客から商品イメージを受注する商品イメージ受注手段と、受注した商品イメージを一般端末から公募する商品イメージ公募手段と、応募された商品イメージを注文した顧客に展示する応募イメージ展示手段と、顧客が選択した商品イメージの応募者を登録者として登録する応募者登録手段と、登録者の創作した他の商品イメージを登録イメージとして前記登録イメージ展示手段により展示する手段とを具備する登録イメージ展示・提示システムを提供するものである。
【０００５】
また、本発明は、請求項１に記載の登録イメージ展示・提示システムにおいて、前記商品イメージ受注手段が、顧客に一般端末から注文する商品イメージを電子掲示板に掲載させるようにした登録イメージ展示・提示システムを提供するものである。
【０００６】
また、本発明は、請求項１又は２に記載の登録イメージ展示・提示システムにおいて、前記商品イメージ公募手段が、一般端末から閲覧可能な電子掲示板によって商品イメージを公募するようにした登録イメージ展示・提示システムを提供するものである。
【０００７】
また、本発明は、請求項１乃至３のいずれかに記載の登録イメージ展示・提示システムにおいて、顧客の商品イメージの選択頻度に応じて登録者のランク付を行うランク付手段を付加した登録イメージ展示・提示システムを提供するものである。
【発明の効果】
【０００８】
本発明に係る登録イメージ展示・提示システムによれば、インターネット等により相互通信可能に接続したコンピュータネットワークを介して、写真、絵画、モデル等の人物の肖像、デザイン、又は、これらの加工商品等の商品イメージを登録イメージとして展示する登録イメージ展示手段と、顧客に登録イメージの選択を促し、選択された登録イメージをそのまま、又は加工して顧客に提示する登録イメージ提示手段とからなる登録イメージ展示・提示システムにおいて、顧客から商品イメージを受注する商品イメージ受注手段と、受注した商品イメージを一般端末から公募する商品イメージ公募手段と、応募された商品イメージを注文した顧客に展示する応募イメージ展示手段と、顧客が選択した商品イメージの応募者を登録者として登録する応募者登録手段と、登録者の創作した他の商品イメージを登録イメージとして前記登録イメージ展示手段により展示する手段とを具備する構成を有することにより、従来のように限られた登録デザイナーでは顧客の依頼に対して迅速且つ充分に対応することが困難であったが、顧客から受注した商品イメージを広く一般端末から公募することによって、多種多様化した顧客の注文に対して迅速且つ充分に対応することができるのみならず、顧客が選択した商品イメージの応募者を登録者として登録することによって、商品イメージを創作して展示する登録者を幅広く確実に確保することができ、幅広い顧客層に対応した商品イメージを相乗的に拡大して展示又は提示することができる効果がある。
【０００９】
また、本発明は、請求項１に記載の登録イメージ展示・提示システムにおいて、前記商品イメージ受注手段が、顧客に一般端末から注文する商品イメージを電子掲示板に掲載させるようにした構成を有することにより、注文と同時に電子掲示板を通じて商品イメージを幅広く公募することができる効果がある。
【００１０】
また、本発明は、請求項１又は２に記載の登録イメージ展示・提示システムにおいて、前記商品イメージ公募手段が、一般端末から閲覧可能な電子掲示板によって商品イメージを公募するようにした構成を有することにより、顧客からの受注に対してリアルタイムに商品イメージを公募することができると共に、一般端末から広く閲覧可能にして幅広いより多くの商品イメージを蒐集することができる効果がある。
【００１１】
また、本発明は、請求項１乃至３のいずれかに記載の登録イメージ展示・提示システムにおいて、顧客の商品イメージの選択頻度に応じて登録者のランク付を行うランク付手段を付加した構成を有することにより、ある登録者が創作した商品イメージの価値評価を容易に行うことができると共に、登録者の創作意欲を高めることができるから、展示する商品イメージの質を向上させることができる効果がある。
【発明を実施するための最良の形態】
【００１２】
本発明の実施の形態を図示する実施例に基づいて説明する。
本発明に係る登録イメージ展示・提示システムは、インターネット等により相互通信可能に接続したコンピュータネットワークを介して、写真、絵画、モデル等の人物の肖像、デザイン、又は、これらの加工商品等の商品イメージを登録イメージとして展示する登録イメージ展示手段１と、顧客に登録イメージの選択を促し、選択された登録イメージをそのまま、又は加工して顧客に提示する登録イメージ提示手段２とからなる登録イメージ展示・提示システムにおいて、顧客から商品イメージを受注する商品イメージ受注手段３と、受注した商品イメージを一般端末から公募する商品イメージ公募手段４と、応募された商品イメージを注文した顧客に展示する応募イメージ展示手段５と、顧客が選択した商品イメージの応募者を登録者として新規に登録する応募者登録手段６と、新規登録者の創作した他の商品イメージを登録イメージとして前記登録イメージ展示手段１により展示する手段とを有する。
【実施例１】
【００１３】
本発明に係る登録イメージ展示・提示システムは、インターネットを介して相互通信可能に接続したサーバー１０と一般端末１１とからなる。
図１又は図２に示す実施例において、登録イメージ展示手段１は、サーバー１０に登録した登録者が撮影した写真、登録者が創作した絵画若しくはデザイン、登録者であるモデル等の人物の肖像、又は、これらの加工商品等の商品イメージを検索可能に分類してサーバー１０に登録してあり、顧客が一般端末１１から閲覧可能に展示することができるように構成してある。
顧客は、希望するイメージを表すキーワード等を一般端末１１から入力することにより、登録イメージを検索して閲覧することができる。
【００１４】
登録イメージ提示手段２は、登録イメージ展示手段１に選択可能に展示された登録イメージの中から顧客が希望するイメージを選択すると、サーバー１０が選択された登録イメージをそのまま、又は、顧客の希望する商品と組み合わせた商品イメージを作成し、一般端末１１から顧客に提示することができるように構成してある。また、顧客は、一般端末１１からサーバー１０との対話形式により、サーバー１０が提示するイメージサイズと商品の組み合わせの中から希望の商品イメージを選択することができる。
【００１５】
商品イメージ受注手段３は、登録イメージ展示手段１に展示された登録イメージの中に顧客の希望するイメージが存在しない場合や、顧客がオリジナルの商品イメージを希望する場合に、顧客が一般端末１１から希望の商品イメージを注文することができるように構成してある。
詳細には、商品イメージ受注手段３は、サーバー１０が提供した又は一般のデザイン作成ソフトにより顧客が作成した概略イメージを一般端末１１からサーバー１０に送信させて商品イメージを受注することができる他、顧客が希望するイメージを表すキーワードを一般端末１１から入力させることにより、サーバー１０が作成した商品イメージの中から顧客に選択させて受注するように構成してある。
【００１６】
商品イメージ公募手段４は、サーバー１０に一般端末１１から閲覧可能な電子掲示板を設けてあり、この電子掲示板に商品イメージ受注手段３によって受注した商品イメージの概略イメージを掲載することにより、登録デザイナーのみならず一般デザイナーに対しても商品イメージを公募することができるように構成してある。
商品イメージの応募者は、電子掲示板に掲載された概略イメージに沿って商品イメージを創作し、この商品イメージを一般端末１１からサーバー１０に送信することにより応募することができる。なお、応募した商品イメージの盗用を防止するために、例えば、規定サイズ以下のイメージデータで応募させ、顧客がデザインを選択した後に原寸のイメージデータをサーバー１０に送信させるようにしてあることが好ましい。
【００１７】
また、商品イメージ公募手段４は、商品イメージの応募者に対して仮登録ＩＤ（識別情報）を発行するように構成することもできる。サーバー１０には、仮登録ＩＤ毎に応募者の個人情報を仮登録してあり、応募者は商品イメージを応募するときに仮登録ＩＤを入力することにより個人情報の入力を省略することができると共に、サーバー１０は仮登録ＩＤによって応募者毎の応募状況等を管理することができる。
【００１８】
応募イメージ展示手段５は、サーバー１０が応募者の応募した商品イメージを一般端末１１を介して顧客に展示し、顧客にこの応募イメージの中から希望の商品イメージを選択させることができるように構成してある。また、顧客に展示する前に一定の審査手段を介してから展示する構成にすることもできる。
また、応募イメージ展示手段５は、商品イメージの応募者に、一般端末１１から商品イメージを電子掲示板に掲載させるように構成することもできる。商品イメージの応募者は、創作した商品イメージを添付して電子掲示板に返信することにより、商品イメージを容易に展示することができる。また、デザインの電子掲示板への掲載から一定期間において商品イメージを発注した顧客のみが閲覧可能にすることにより、商品イメージのオリジナル性を保つことができる。また、一定期間経過後に顧客が選択しなかった商品イメージを一般端末１１から他の顧客に閲覧可能にすることにより、より多くの商品イメージを他の顧客に展示することができるように構成することもできる。
【００１９】
応募者登録手段６は、サーバー１０が顧客の選択した商品イメージの応募者を登録者として登録すると共に、登録者と商品イメージの使用に関するライセンス契約を締結することができるように構成してある。また、応募者登録手段６は、登録者に登録ＩＤを発行する手段からなり、登録者の創作した他の商品イメージを登録イメージとして登録イメージ展示手段１により展示する時にＩＤを入力させるようにすることもできる。サーバー１０には、登録ＩＤ毎に登録者の個人情報を登録してあり、登録者は商品イメージを展示するときに登録ＩＤを入力することにより個人情報の入力を省略することができると共に、サーバー１０は登録ＩＤによって登録者毎の展示状況や顧客の選択頻度等を管理することができる。
【００２０】
また、本発明に係る登録イメージ展示・提示システムには、顧客の商品イメージの選択頻度に応じて登録者のランク付を行うランク付手段を付加することができる。サーバー１０は、登録ＩＤによって登録者毎に顧客の選択頻度を集計して、登録者のランクを電子掲示板等に定期的に公表することができる。
【００２１】
次に、本発明に係る登録イメージ展示・提示システムの作用について、図２に基づいて説明する。
ステップ（イ）において、登録イメージ展示手段１は、サーバー１０に登録された写真、絵画、モデル等の人物の肖像、デザイン、又は、これらの加工商品等の商品イメージを登録イメージとして顧客に選択可能に展示してある。
ステップ（ロ）において、顧客は、登録イメージ展示手段１に展示された登録イメージを閲覧して、希望のイメージを選択することができる。この登録イメージの中から顧客が希望するイメージを選択すると、ステップ（ハ）において、登録イメージ提示手段２は、顧客が選択した登録イメージをそのまま、又は、顧客の希望する商品と組み合わせた商品イメージを作成し、一般端末１１から顧客に提示する。
【００２２】
一方、登録イメージの中に顧客が希望するイメージがない場合には、ステップ（ニ）の商品イメージ受注手段３において、顧客は一般端末１１から希望の商品イメージを注文することができる。
顧客が商品イメージを注文すると、ステップ（ホ）において、商品イメージ公募手段４は、受注した商品イメージの概略イメージを一般端末１１から閲覧可能に掲載して、登録デザイナー及び一般デザイナーに対して商品イメージを公募するようにしてある。
デザイナーが、この概略イメージに沿って創作した商品イメージを応募すると、ステップ（ヘ）において、応募イメージ展示手段５は、応募者の応募した商品イメージを一般端末１１を介して顧客に展示するようにしてある。
【００２３】
ステップ（ト）において、顧客は展示された応募イメージの中から希望の商品イメージを選択することができる。顧客が応募イメージの中から希望の商品イメージを選択すると、ステップ（チ）において、応募者登録手段６は、顧客の選択した商品イメージの応募者を登録者として新規に登録すると共に、選択された商品イメージを顧客に提供するようにしてある。
一方、展示された応募イメージの中に顧客の希望する商品イメージがない場合には、ステップ（へ）の応募イメージ展示手段５において、更に応募された商品イメージを顧客に展示することにより、顧客は希望する商品イメージを選択することができる。
【００２４】
ステップ（チ）の応募者登録手段６で新規に登録された登録者は、ステップ（リ）において、創作した商品イメージをサーバー１０に登録することができ、この登録イメージをステップ（イ）の登録イメージ展示手段１において顧客に展示することができる。これにより、多数の登録デザイナーと商品イメージを確保することができる。
【図面の簡単な説明】
【００２５】
【図１】本発明登録イメージ展示・提示システムの一実施例を示す概略構成図
【図２】本発明登録イメージ展示・提示システムの一実施例を示す概略説明図
【符号の説明】
【００２６】
１  登録イメージ展示手段
２  登録イメージ提示手段
３  商品イメージ受注手段
４  商品イメージ公募手段
５  応募イメージ展示手段
６  応募者登録手段
１０  サーバー
１１  一般端末
【図１】
2005202555.tif 000003
【図２】
2005202555.tif 000004